(57)【要約】      （修正有）【課題】カメラ本体部に対する回動開閉部への制動効果に優れ制動力の制定自由度も高いカメラの開閉回動支持構造を提供する。【解決手段】カメラ本体部と回動開閉部のいずれか一方に対して回動が規制されて支持される回動支持軸の一部に非円形断面軸部を形成し、カメラ本体部と回動開閉部の他方に形成され回動支持軸に対して相対回動可能に嵌る中空のスリーブ部の一部に非円形断面穴部を形成し、この非円形断面軸部と非円形断面穴部の間の径方向スペース内に、回動支持軸の非円形断面軸部に対して相対回動可能に嵌り、かつ中空スリーブ部の非円形断面穴部に対して回動規制された第１の環状制動部材と、回動支持軸の非円形断面軸部に対して回動規制されて嵌り、かつ中空スリーブ部の非円形断面穴部に対して相対回動可能に支持された第２の環状制動部材を配し、第１の環状制動部材と第２の環状制動部材を回動支持軸の軸線に沿う接近方向へ付勢して摩擦接触させる。【選択図】図９
2010093381.tif 000002
【特許請求の範囲】
【請求項１】
撮像光学系を支持するカメラ本体部と、該カメラ本体部に対してヒンジ機構を介して開閉回動可能に支持された回動開閉部と、ヒンジ機構による回動開閉部の閉じ位置と開放位置の間の回動に抵抗を与えて減速させる制動機構とを備えたカメラの開閉回動支持構造において、
上記ヒンジ機構は、カメラ本体部と回動開閉部のいずれか一方に対して回動が規制されて支持される回動支持軸と、カメラ本体部と回動開閉部の他方に形成され該回動支持軸に対して相対回動可能に嵌る中空のスリーブ部を有し、
上記制動機構は、
互いの間に径方向スペースを有する、上記回動支持軸の一部を構成する非円形断面軸部と、上記中空スリーブ部の一部を構成する非円形断面穴部；
上記径方向スペース内に、上記回動支持軸の非円形断面軸部に対して相対回動可能に嵌り、かつ上記中空スリーブ部の非円形断面穴部に対して回動規制された第１の環状制動部材；
上記径方向スペース内に、上記回動支持軸の非円形断面軸部に対して回動規制されて嵌り、かつ上記中空スリーブ部の非円形断面穴部に対して相対回動可能に支持された第２の環状制動部材；及び
上記第１の環状制動部材と第２の環状制動部材を回動支持軸の軸線に沿う接近方向へ付勢して摩擦接触させる付勢部材；
を備えていることを特徴とするカメラの開閉回動支持構造。
【請求項２】
請求項１記載のカメラの開閉回動支持構造において、
上記第１の環状制動部材は、円形の中心穴と、部分円形領域及び直線状領域からなる非円形外周部とを有し、
上記第２の環状制動部材は、部分円形領域及び直線状領域からなる非円形の中心穴と、円形の外周部とを有し、
上記回動支持軸の非円形断面軸部の外面は、第１の環状制動部材の円形の中心穴を相対回動可能に支持する部分円筒領域と、第２の環状制動部材の非円形の中心穴の直線状領域が嵌合する平面状領域を有し、
上記中空スリーブ部の非円形断面穴部の内面は、第２の環状制動部材の円形の外周部を相対回動可能に支持する部分円筒領域と、第１の環状制動部材の非円形外周部の直線状領域が嵌合する平面状領域を有していることを特徴とするカメラの開閉回動支持構造。
【請求項３】
請求項１または２記載のカメラの開閉回動支持構造において、複数枚の第１の環状制動部材と複数枚の第２の環状制動部材が上記回動支持軸の軸線方向に交互に配置されていることを特徴とするカメラの開閉回動支持構造。
【請求項４】
請求項１ないし３のいずれか１項記載のカメラの開閉回動支持構造において、上記付勢部材は、上記回動支持軸の非円形断面軸部を内部に挿入させ、該回動支持軸の軸線方向に伸縮可能な圧縮コイルバネからなることを特徴とするカメラの開閉回動支持構造。
【請求項５】
請求項１ないし４のいずれか１項記載のカメラの開閉回動支持構造において、上記第１の環状制動部材と第２の環状制動部材が色分けされていることを特徴とするカメラの開閉回動支持構造。
【請求項６】
撮像光学系を支持するカメラ本体部と、上記カメラ本体部に対して、ヒンジ機構を介して開閉回動可能に支持された回動開閉部と、ヒンジ機構による回動開閉部の閉じ位置と開放位置の間の回動に抵抗を与えて減速させる制動機構とを備えたカメラの開閉回動支持構造において、
上記制動機構は、
カメラ本体部に、上記ヒンジ機構における回動支持軸の軸線と略平行に進退可能に支持され、回動開閉部の回動軌跡上に出没する制動ピン；
該制動ピンを回動開閉部の回動軌跡上への突出方向に付勢する付勢部材；及び
回動開閉部側に形成され、閉じ位置と開放位置の間で上記制動ピンが係合して回動開閉部の回動を制限させる係合凹部；
を有し、上記制動ピンと係合凹部の係合状態で回動開閉部に回動力を付与することで、上記付勢部材の付勢力に抗して制動ピンが退避して回動開閉部が回動可能になることを特徴とするカメラの開閉回動支持構造。
【請求項７】
請求項６記載のカメラの開閉回動支持構造において、上記係合凹部に係合する制動ピンの先端部が球面状をなしていることを特徴とするカメラの開閉回動支持構造。
【請求項８】
請求項６または７記載のカメラの開閉回動支持構造において、上記付勢部材は、カメラ本体部への固定部と、該固定部から延出される弾性変形可能なアーム部を有する板バネであり、該アーム部によって上記制動ピンを押圧していることを特徴とするカメラの開閉回動支持構造。
【請求項９】
請求項１ないし８のいずれか１項記載のカメラの開閉回動支持構造において、上記回動開閉部は、カメラ本体部に臨む前面側に撮像素子ユニットを備えるデジタルバック部であることを特徴とするカメラの開閉回動支持構造。
【発明の詳細な説明】
【技術分野】
【０００１】
本発明はカメラ本体部に対して開閉回動可能に支持される回動開閉部の支持機構に関する。
【背景技術】
【０００２】
特許文献１のように、撮像光学系を備えたカメラ本体部に対して液晶モニタなどをヒンジ機構で開閉回動可能に支持したタイプのカメラが知られている。この種のヒンジ機構では、開閉時の衝撃で損傷することを避けるために、適度な回動抵抗を与える制動手段を備えたものが多い。
【特許文献１】特開２００５−２２９３０１号公報
【発明の開示】
【発明が解決しようとする課題】
【０００３】
カメラのデザイン性などの観点からは、ヒンジの制動手段をできるだけコンパクトに構成することが求められるが、コンパクトな制動手段では、重量が大きい回動開閉部に対して十分な制動力を得ることが難しく、また制動力を自在に設定することが難しいという問題があった。
【０００４】
そこで本発明は、簡単かつコンパクトな構成でありながら、カメラ本体部に対する回動開閉部への制動効果に優れ、制動力の制定自由度も高いカメラの開閉回動支持構造を提供することを目的とする。
【課題を解決するための手段】
【０００５】
本発明は、撮像光学系を支持するカメラ本体部と、このカメラ本体部に対してヒンジ機構を介して開閉回動可能に支持された回動開閉部と、ヒンジ機構による回動開閉部の閉じ位置と開放位置の間の回動に抵抗を与えて減速させる制動機構とを備えたカメラの開閉回動支持構造において、次のように構成したことを特徴としている。まず、ヒンジ機構が、カメラ本体部と回動開閉部のいずれか一方に対して回動が規制されて支持される回動支持軸と、カメラ本体部と回動開閉部の他方に形成され該回動支持軸に対して相対回動可能に嵌る中空のスリーブ部を備えている。そして制動機構においては、回動支持軸と中空スリーブ部のそれぞれの一部に、互いの間に径方向スペースを有する非円形断面軸部と非円形断面穴部を設ける。この径方向スペース内に、回動支持軸の非円形断面軸部に対して相対回動可能に嵌り、かつ中空スリーブ部の非円形断面穴部に対して回動規制された第１の環状制動部材と、回動支持軸の非円形断面軸部に対して回動規制されて嵌り、かつ中空スリーブ部の非円形断面穴部に対して相対回動可能に支持される第２の環状制動部材とを設ける。そして、付勢部材によって、該第１と第２の環状制動部材を回動支持軸の軸線に沿う接近方向へ付勢して摩擦接触させる。これにより、第１の環状制動部材と第２の環状制動部材がカメラ本体部と回動開閉部の一方と他方に対して回動規制された状態で面接触され、互いの面摩擦力によって回動開閉部の制動を行うことができる。
【０００６】
より詳しくは、第１の環状制動部材は、円形の中心穴と、部分円形領域及び直線状領域からなる非円形外周部とを有する形状とする。第２の環状制動部材は、部分円形領域及び直線状領域からなる非円形の中心穴と、円形の外周部とを有する形状とする。回動支持軸の非円形断面軸部は、その外面に、第１の環状制動部材の円形の中心穴を相対回動可能に支持する部分円筒領域と、第２の環状制動部材の非円形の中心穴の直線状領域が嵌合する平面状領域を有することで、第１の環状制動部材に対して相対回動可能で、かつ第２の環状制動部材に対して相対回動が規制される。一方、中空スリーブ部の非円形断面穴部は、その内面に、第２の環状制動部材の円形の外周部を相対回動可能に支持する部分円筒領域と、第１の環状制動部材の非円形外周部の直線状領域が嵌合する平面状領域を有することで、第２の環状制動部材に対して相対回動可能で、かつ第１の環状制動部材に対して相対回動が規制される。
【０００７】
第１の環状制動部材と第２の環状制動部材はそれぞれ複数枚が回動支持軸の軸線方向に交互に配置されていることが好ましい。それぞれの環状制動部材の枚数を変えることで制動力を変化させることができる。
【０００８】
また、付勢部材は、回動支持軸の非円形断面軸部を内部に挿入させ、該回動支持軸の軸線方向に伸縮可能な圧縮コイルバネからなることが好ましい。
【０００９】
第１の環状制動部材と第２の環状制動部材を色分けすることで、組み付け時に識別しやすく、作業性を向上させることができる。
【００１０】
本発明による制動機構の異なる態様では、ヒンジ機構における回動支持軸の軸線と平行に進退可能にカメラ本体部に支持され、回動開閉部の回動軌跡上に出没する制動ピンと、該制動ピンを回動開閉部の回動軌跡上への突出方向に付勢する付勢部材と、回動開閉部側に形成され、該回動開閉部の閉じ位置と開放位置の間で制動ピンが係合して回動開閉部の回動を制限させる係合凹部とを有し、制動ピンと係合凹部の係合状態で回動開閉部に回動力を付与することで、付勢部材の付勢力に抗して制動ピンが退避して回動開閉部が回動可能になることを特徴としている。
【００１１】
係合凹部に係合する制動ピンの先端部を球面状に形成すると、制動ピンと係合凹部の係合状態において、回動開閉部の回動方向の力から制動ピンの退避方向の移動を生じさせやすくなり、引っ掛かりの少ない優れた操作性が得られる。
【００１２】
この態様における付勢部材は、カメラ本体部への固定部と、該固定部から延出される弾性変形可能なアーム部を有する板バネであり、該アーム部によって制動ピンを押圧していることが好ましい。
【００１３】
本発明は、カメラ本体部に臨む前面側に撮像素子ユニットを備えるデジタルバック部を回動開閉部としたタイプのカメラに特に好適である。
【発明の効果】
【００１４】
以上の本発明によれば、簡単かつコンパクトな構成でありながら、カメラ本体部に対する回動開閉部への制動効果に優れ、制動力の制定自由度も高いカメラの開閉回動支持構造を得ることができる。
【発明を実施するための最良の形態】
【００１５】
図１に示すデジタルカメラ１０は、カメラ本体部２０の前部のマウント（不図示）に、撮像光学系を内蔵したレンズ鏡筒１１（図１に二点鎖線で示す）を着脱可能な、レンズ交換式の一眼レフタイプのカメラである。カメラ本体部２０の後部には、ヒンジ部（ヒンジ機構）１２の回動中心軸Ｘ（後述する軸ピン６３の軸線）を中心として回動可能にバック部（デジタルバック部）４０が接続されている。ヒンジ部１２の回動中心軸Ｘは、撮像光学系の撮影光軸Ｚと略直交する方向に向く軸線である。
【００１６】
図３に示すように、カメラ本体部２０には、光学ファインダ（ファインダ光学系）２１、シャッタ２２、クイックリターンミラーの駆動装置（以下、ミラー駆動装置）２３、測光素子２４、ＡＦ駆動装置２５、レリーズ釦２６、絞り駆動装置２７、各種操作スイッチ２８、バッテリー（電源）２９、ＣＰＵ（Central Processing Unit／中央制御回路）３０、ＤＰＵ（Data Processing Unit）３１、ボディＬＣＤ３２が備えられている。
【００１７】
カメラ本体部２０内にはクイックリターンミラー（不図示）が設けられ、このクイックリターンミラーは、ミラー駆動装置２３によって下降位置と上昇位置との間で回動される。下降位置では、レンズ鏡筒１１の撮像光学系を通った光束がクイックリターンミラーによって反射されてファインダ光学系２１へ入射し、図１及び図２に表れているファインダ光学系２１の接眼部を通して被写体画像を観察することが可能である。クイックリターンミラーが上昇位置へ回動すると、撮像光学系からの光束が、該ミラーで反射されずに撮影光軸Ｚに沿ってシャッタ２２側へ向かう。シャッタ２２は、カメラ本体部２０の後部に形成されたシャッタ開口３３を閉じる位置に設けられたフォーカルプレーンシャッターで、先幕と後幕の走行タイミングを制御することで露光時間を変化させることができる。シャッタ２２とミラー駆動装置２３の動作はＣＰＵ３０によって制御され、レリーズ釦２６の操作によってＣＰＵ３０にレリーズ信号が入力されると、クイックリターンミラーの上昇動作とシャッタ２２の走行が行われて撮影動作が実行される。ＣＰＵ３０はまた、測光素子２４を用いた測光動作と、ＡＦ駆動装置２５を用いたＡＦ動作も制御する。ＡＦ制御では、レンズ鏡筒１１内の撮像光学系の一部を構成するＡＦレンズ群を光軸方向に移動させて合焦動作が行われる。
【００１８】
また、レンズ鏡筒１１内には光路の開口径を可変とさせる絞り機構（不図示）が備えられ、この絞り機構は、ＤＰＵ３１に制御される絞り駆動装置２７によって駆動される。ＤＰＵ３１にはさらに、操作スイッチ２８の操作によって各種の設定情報が入力される。図１及び図２に示すように、操作スイッチ２８は、外観上は複数のボタン、ダイヤル、押しスイッチ類として構成されており、代表的には、撮影モードなどを設定する上面ダイヤル２８ａ、シャッタスピードや露出などを設定する背面ダイヤル２８ｂ、４方向ボタンと中央ボタンの組み合わせからなり各種ファンクションの選択と決定を行う十字キー２８ｃなどが備えられている。操作スイッチ２８で入力された各種設定情報は、ボディＬＣＤ３２に表示される。
【００１９】
図３に示すように、バック部４０には、撮像素子４１、イメージＬＣＤ４２、入出力端子４３、ＤＳＰ（Digital Signal Processor／画像処理回路）４４、電源回路４５が設けられている。撮像素子４１はＣＣＤやＣＭＯＳといった固体撮像素子からなり、該撮像素子４１による光電変換で得られた画像情報がＤＳＰ４４に入力される。ＤＳＰ４４は入力された画像情報を処理して所定フォーマットの画像データを生成し、イメージＬＣＤ４２での画像表示や、入出力端子４３を介しての画像出力を行わせることができる。ＤＳＰ４４とカメラ本体部２０側のＣＰＵ３０は、後述するリード線６９を介して通信可能に接続されており、カメラ本体部２０側の操作スイッチ２８で入力された各種設定情報なども、イメージＬＣＤ４２に表示させることができる。入出力端子４３は、パーソナルコンピュータやテレビモニタなどに接続するための外部入出力端子と、バック部４０内に挿入されるメモリカードなどの記憶手段と接続される内部入出力端子とを備えていて、バック部４０の側面に開閉可能に設けた側部リッド４６を開くことで、これら入出力端子へのアクセスが可能となる。また、バック部４０内に設けた電源回路４５は、カメラ本体部２０側のバッテリー２９及びＤＰＵ３１に対して後述するリード線６９を介して接続されており、ＤＰＵ３１により制御されて、ＣＰＵ３０、ＤＰＵ３１及びＤＳＰ４４への電源供給を行う。
【００２０】
図１及び図２に示すように、カメラ本体部２０の後部には、シャッタ開口３３を囲む態様でバック装着凹部５０が形成され、バック装着凹部５０内におけるシャッタ開口３３の両側には、光軸方向後方を向く位置基準部材５１が設けられている。この位置基準部材５１上には、後述するバック部４０側の３つの調整軸部材８１に対応して位置する３つの位置基準面５１ａ（図１及び図２には１つのみ示されている）が形成されている。３つの位置基準面５１ａは、撮影光軸Ｚに対して直交する同一平面内に位置している。
【００２１】
バック装着凹部５０の下部には、ヒンジ部１２を構成する本体側スリーブ部５２が設けられている。図９に示すように、本体側スリーブ部５２は、撮影光軸Ｚと直交する水平方向に貫通する円形断面の軸挿通穴５２ａを有し、該軸挿通穴５２ａが開口する水平方向の端部は、軸挿通穴５２ａの軸線に対して直交する一対の摺接平面５２ｂ、５２ｃとなっている。
【００２２】
バック部４０は、バック装着凹部５０内に嵌る形状の箱形ハウジング６０を有している。箱形ハウジング６０の下部には、本体側スリーブ部５２の摺接平面５２ｂ、５２ｃを挟む位置関係で対をなすバック側スリーブ部６１、６２が形成されている。バック側スリーブ部６１、６２はそれぞれ、水平方向に貫通する軸挿通穴６１ａ、６２ａと、本体側スリーブ部５２の摺接平面５２ｂ、５２ｃと略平行な対向平面６１ｂ、６２ｂを有している。対向平面６１ｂ、６２ｂの間隔は本体側スリーブ部５２の幅に対応しており、バック側スリーブ部６１の対向平面６１ｂは、本体側スリーブ部５２の摺接平面５２ｂに対して摺動可能に対向し、バック側スリーブ部６２の対向平面６２ｂは、本体側スリーブ部５２の摺接平面５２ｃに対して摺動可能に対向する。
【００２３】
バック側スリーブ部６１、６２の軸挿通穴６１ａ、６２ａと、その間に挟まれる本体側スリーブ部５２の軸挿通穴５２ａに対して、軸ピン（回動支持軸）６３が挿通されている。図９ないし図１１に示すように、軸ピン６３は、大径軸部６３ａ、小径軸部６３ｂ及び非円形断面軸部６３ｃを同軸上に有している。大径軸部６３ａを挟む両側に位置する小径軸部６３ｂと非円形断面軸部６３ｃはいずれも該大径軸部６３ａより小径であり、小径軸部６３ｂが完全な円形断面形状であるのに対し、非円形断面軸部６３ｃは「Ｄ」状の非円形断面形状をしている。図１１に示すように、本体側スリーブ部５２の軸挿通穴５２ａは、軸ピン６３の大径軸部６３ａに対応する内径の大径円形穴部５２ａ１と、小径軸部６３ｂに対応する内径の小径円形穴部５２ａ２を有している。バック側スリーブ部６１の軸挿通穴６１ａは、大径円形穴部５２ａ１と略同径の円形穴部６１ａ１と、該円形穴部６１ａ１に続く非円形断面穴部６１ａ２を有している。また、図１０に示すように、バック側スリーブ部６２の軸挿通穴６２ａは、小径円形穴部５２ａ２と略同径の小径円形穴部６２ａ１と、該小径円形穴部６２ａ１に続く大径円形穴部６２ａ２を有し、大径円形穴部６２ａ２の一部がバック部４０の内方へ向けた内方開口部６２ａ３となっている。
【００２４】
図１０及び図１１に示すように、軸ピン６３は、軸挿通穴５２ａに対して、大径円形穴部５２ａ１と小径円形穴部５２ａ２の境界の段部に大径軸部６３ａの端部（大径軸部６３ａと小径軸部６３ｂの境界部）が当て付く位置まで挿入され、軸止めビス６４で本体側スリーブ部５２に固定される。本体側スリーブ部５２には、軸止めビス６４を挿通可能なビス挿通穴５２ｄが形成され、軸ピン６３には、軸止めビス６４が螺合されるビス穴６３ｄが形成されている。この軸止めビス６４を用いた軸ピン６３の固定状態で、大径軸部６３ａの一部と非円形断面軸部６３ｃは、本体側スリーブ部５２の摺接平面５２ｂから突出し（図１０）、小径軸部６３ｂの一部は、本体側スリーブ部５２の摺接平面５２ｃから突出する。大径軸部６３ａの突出部分は、バック側スリーブ部６１の軸挿通穴６１ａの円形穴部６１ａ１に対して相対回動可能に挿入支持され（図１０）、小径軸部６３ｂの突出部分は、バック側スリーブ部６２の軸挿通穴６２ａの小径円形穴部６２ａ１に対して相対回動可能に挿入支持される。これにより、バック部４０はカメラ本体部２０に対して、軸ピン６３の軸線（ヒンジ部１２の回動中心軸Ｘ）を中心として回動可能に支持される。
【００２５】
図１０及び図１１に示すように、ヒンジ部１２によるカメラ本体部２０とバック部４０の接続状態において、軸ピン６３の非円形断面軸部６３ｃは、バック側スリーブ部６１の軸挿通穴６１ａの非円形断面穴部６１ａ２内に挿入され、非円形断面軸部６３ｃと非円形断面穴部６１ａ２は径方向にワッシャ挿入空間（径方向スペース）Ｓを空けて対向している。図９に示すように、バック側スリーブ部６１の非円形断面穴部６１ａ２は、径方向に対向して位置する一対の部分円筒領域Ｕ１と、これを接続する４つの平面状領域Ｕ２を組み合わせた非円形の内面形状の穴である。軸ピン６３の非円形断面軸部６３ｃは、その外面に、円筒状外面領域Ｔ１と、該軸ピン６３の軸線と平行をなす平面状領域Ｔ２とを有している。そして、ワッシャ挿入空間Ｓ内には、それぞれ複数枚の第１制動ワッシャ（第１の環状制動部材）６５と第２制動ワッシャ（第２の環状制動部材）６６が軸方向に交互に嵌められている。
【００２６】
図９に示すように、第１制動ワッシャ６５は、軸挿通穴６１ａの非円形断面穴部６１ａ２における部分円筒領域Ｕ１に対応する部分円形領域Ｖ１と、平面状領域Ｕ２に対応する直線状領域Ｖ２とを含む非円形外周部６５ａを有し、平面状領域Ｕ２と直線状領域Ｖ２の係合関係によって非円形断面穴部６１ａ２に対する相対回動が規制されている。第１制動ワッシャ６５の中央には、軸ピン６３の非円形断面軸部６３ｃの部分円筒領域Ｔ１に対して相対回動可能に嵌る円形中心穴６５ｂが形成されている。これに対し、第２制動ワッシャ６６は、軸挿通穴６１ａの非円形断面穴部６１ａ２の部分円筒領域Ｕ１に対応する部分のみからなる円形外周部６６ａを有し、非円形断面穴部６１ａ２に対して相対回動可能に支持される。第２制動ワッシャ６６の中央には、軸ピン６３の非円形断面軸部６３ｃの部分円筒領域Ｔ１に対応する部分円形領域Ｗ１と、平面状領域Ｔ２に対応する直線状領域Ｗ２とを含む「Ｄ」状の非円形中心穴６６ｂが形成されていて、第２制動ワッシャ６６は、平面状領域Ｔ２と直線状領域Ｗ２の係合関係によって軸ピン６３に対する相対回動が規制されている。つまり、第１制動ワッシャ６５は、軸ピン６３が固定されるカメラ本体部２０に対して相対回動可能で、バック側スリーブ部６１を有するバック部４０に対して相対回動不能な関係にあり、第２制動ワッシャ６６は、軸ピン６３が固定されるカメラ本体部２０に対して相対回動不能で、バック側スリーブ部６１を有するバック部４０に対して相対回動可能な関係にある。軸ピン６３の非円形断面軸部６３ｃの先端付近に形成された抜止溝６３ｅに対してロックワッシャ６７が係着されている。第１制動ワッシャ６５及び第２制動ワッシャ６６の挿入領域とロックワッシャ６７との間には圧縮コイルバネ（付勢部材）６８が挿入されていて、非円形断面軸部６３ｃ上に交互に配された第１制動ワッシャ６５と第２制動ワッシャ６６の接触面圧を高める方向の付勢力が作用している。
【００２７】
以上の構造のヒンジ部１２では、前述の通り、第１制動ワッシャ６５はバック部４０側のバック側スリーブ部６１との相対回動が規制され、第２制動ワッシャ６６はカメラ本体部２０側に固定される軸ピン６３との相対回動が規制されているため、隣り合う第１制動ワッシャ６５と第２制動ワッシャ６６の接触面間で生じる摩擦力によって、カメラ本体部２０に対するバック部４０の開閉回動動作に対する制動効果が得られる。この制動効果は、第１制動ワッシャ６５と第２制動ワッシャ６６の挿入枚数を変えることで自在に調整することができる。また、第１制動ワッシャ６５と第２制動ワッシャ６６の材質によっても、制動効果を変化させることができ、摺接部分の摩擦係数が高い材質であるほど、制動力が大きくなる。また、図１０及び図１１では、第１制動ワッシャ６５を白、第２制動ワッシャ６６を黒で示しており、このように各タイプのワッシャの色を異ならせることで、区別が容易になり組み付け時の作業性を向上させることができる。なお、ワッシャ６５、６６の色分けは白黒に限られるものではなく、任意の色にすることができる。
【００２８】
以上のようにしてヒンジ部１２を介してカメラ本体部２０と接続されたバック部４０は、該ヒンジ部１２の回動中心軸Ｘ（軸ピン６３の軸線）を中心として、図１のようにバック装着凹部５０に対して開かれた開放位置と、箱形ハウジング６０がバック装着凹部５０内に入り込んでバック部４０がカメラ本体部２０の後部を閉じる閉じ位置（不図示）との間で回動させることができる。バック部４０には、箱形ハウジング６０の上部に位置させて一対のロック爪４７が設けられていて、ロック爪４７がカメラ本体部２０側のロック爪係合部（不図示）に係合して、バック部４０を閉じ位置に係止させることができる。バック部４０の側面に設けたロック解除ノブ４８を操作することで、ロック爪４７によるロックを解除させ、バック部４０が開放位置へ回動可能になる。このとき、ヒンジ部１２内にそれぞれ複数枚設けた第１制動ワッシャ６５と第２制動ワッシャ６６の摺接面間に作用する面摩擦力によって所定の回動抵抗が与えられるため、ロック解除に伴ってバック部４０が開放位置まで一気に回動してヒンジ部１２に過大な負荷を及ぼすおそれがない。
【００２９】
図８及び図１０に示すように、ヒンジ部１２を構成するバック側スリーブ部６２の軸挿通穴６２ａの大径円形穴部６２ａ２には、カメラ本体部２０とバック部４０を電気的に接続させる複数本のリード線６９が束ねられた状態で挿通されている。リード線６９は、大径円形穴部６２ａ２の末端部（図８に見えている開口部）から出てカメラ本体部２０内に延設され、かつ大径円形穴部６２ａ２内で曲折され内方開口部６２ａ３を通してバック部４０内へ延出されており、カメラ本体部２０側のＣＰＵ３０とバック部４０側のＤＳＰ４４、カメラ本体部２０側のバッテリー２９及びＤＰＵ３１とバック部４０側の電源回路４５それぞれ接続している。このように、カメラ本体部２０側とバック部４０側の電子部品をリード線６９で接続した構成は、バック部４０を閉じたときのみ導通するような接点に比べて、次のような点で優れている。
【００３０】
まず、リード線６９は、バック部４０の開閉状態に関わらず常にカメラ本体部２０とバック部４０を電気的に接続することができるため、同様の機能を持つ電子部品をカメラ本体部２０とバック部４０に重複して設けることを回避でき、電装系の構成の簡略化や小型化に寄与する。また、リード線６９の配線数を多くとることができるので、電源供給やデータ通信のように多用な用途を持たせることができ、かつデータ通信では大容量のデータを支障なく送ることができる。これによって、カメラ本体部２０とバック部４０の電装系に関する親和性や信頼性が向上し、デジタルカメラとしての完成度が高くなる。具体的には、本実施形態のデジタルカメラ１０では、リード線６９を電力供給用の経路として用いることで、カメラ本体部２０とバック部４０で共通のバッテリー２９を利用することが可能になっている。特に、消費電力が大きいイメージＬＣＤ４２を備えたバック部４０において独自の電源を不要とできるので、バック部４０の軽量コンパクト化を図ることができる。なお、本実施形態ではカメラ本体部２０側にバッテリー２９を備え、バック部４０側に電源回路４５を備えているが、この配置関係を逆にすることも可能である。また、ＣＰＵ３０とＤＳＰ４４の間をリード線６９で接続することにより、ＤＳＰ４４が処理を担当する画像データなどの大容量のデータ通信が可能になっている。
【００３１】
そして、ヒンジ部１２を構成する軸挿通穴６２ａの大径円形穴部６２ａ２の内部にリード線６９を通す構造のため、リード線６９が外観に表れず見栄えが良く、またカメラ本体部２０とバック部４０の間でリード線６９を挟み込んで断線させてしまうおそれもない。
【００３２】
カメラ本体部２０とバック部４０には、バック部４０がバック装着凹部５０を閉じる位置にあるときに、撮像素子４１の受光面４１ａを、レンズ鏡筒１１の撮像光学系の結像位置に正しく位置させるための調整機構が備えられている。図４及び図５に示すように、撮像素子４１は、撮像素子ユニット７０としてユニット化された形態でバック部４０に対して取り付けられる。撮像素子ユニット７０は、親板７１と、親板７１の後面側に位置する撮像素子用基板７２を有し、撮像素子用基板７２に形成した３つの固定ネジ挿通穴７２ａにそれぞれ挿通させた固定ネジ７３（図６、図７）を、親板７１の３つのネジ穴７１ａに対して螺合させることにより、撮像素子用基板７２が親板７１に対して固定される。親板７１の前面側には撮像素子４１が支持され、撮像素子４１から突出する複数本の端子４１ｂが、撮像素子用基板７２上の端子接続穴７２ｂに挿入される。撮像素子４１の前部には、光学ローパスフィルタ７４を保持したフィルタ枠７５が取り付けられる。フィルタ枠７５は、４つの固定ネジ７６によって親板７１に固定され、撮像素子４１は、該フィルタ枠７５と親板７１の間に保持される。
【００３３】
バック部４０の箱形ハウジング６０には、カメラ本体部２０に対向する前面側に、撮像素子ユニット７０を収容する横長矩形の撮像素子ユニット取付凹部７７が形成され、撮像素子ユニット取付凹部７７の内方に、箱形ハウジング６０の左右の短辺部に沿って一対の内方フランジ７７ａが形成されている。一方の（図５に実線で描かれている側の）内方フランジ７７ａには、ガイド軸支持穴７８と調整軸支持穴７９が１つずつ近接して形成されている。他方の（図５に破線で描かれている側の）内方フランジ７７ａには、上下方向に離間させて２つの調整軸支持穴７９が形成され、その間の位置に１つのガイド軸支持穴７８が形成されている。すなわち、内方フランジ７７ａ上には計２つのガイド軸支持穴７８と計３つの調整軸支持穴７９が形成されている。図６に示すように、ガイド軸支持穴７８は、内方フランジ７７ａの前面部７７ｂ側に開口する大径部７８ａと、その奥側の小径部７８ｂを有し、小径部７８ｂの内面に雌ネジが形成されている。撮像素子ユニット７０の親板７１には、２つのガイド軸支持穴７８に対応する位置にガイド軸通穴７１ｂが形成され、３つの調整軸支持穴７９に対応する位置に調整軸螺合穴７１ｃが形成されている。調整軸螺合穴７１ｃの内面には雌ネジが形成されている。
【００３４】
撮像素子ユニット７０は、２つのガイド軸８０によって撮像素子ユニット取付凹部７７内に支持される。図６に示すように、ガイド軸８０は、軸方向の先端部に雄ネジ付きの小径軸部８０ａを有し、続いて、これより大径の大径軸部８０ｂと、さらに大径の頭部８０ｃとを有しており、撮像素子ユニット７０の親板７１のガイド軸通穴７１ｂに対して大径軸部８０ｂを挿通させた状態で、小径軸部８０ａの雄ネジがガイド軸支持穴７８の小径部７８ｂの雌ネジに螺合される。大径軸部８０ｂの端部（小径軸部８０ａと大径軸部８０ｂの間の段部）が、ガイド軸支持穴７８の大径部７８ａの底面（小径部７８ｂと大径部７８ａの間の段部）に当て付く最奥位置までガイド軸８０を締め込んだとき、該ガイド軸８０の頭部８０ｃと内方フランジ７７ａの前面部７７ｂの間の距離は、撮像素子ユニット７０の親板７１の板厚よりも大きく、撮像素子ユニット７０は、ガイド軸８０の軸線方向には可動に支持される。具体的には、図６にＭ１、Ｍ２で示す可動量が確保されている。この撮像素子ユニット７０の可動方向は、バック部４０を閉じたときにカメラ本体部２０（レンズ鏡筒１１）の撮像光学系から撮像素子４１に入射する撮影光軸Ｚの方向と平行であり、つまりは、撮像素子ユニット７０は光軸方向に位置調整可能に支持されている。一方、撮影光軸Ｚと直交する方向へは、２つのガイド軸８０と親板７１上の２箇所のガイド軸通穴７１ｂとの係合関係によって、撮像素子ユニット７０の位置が決められる。
【００３５】
図６及び図７に示すように、撮像素子ユニット７０の親板７１に３箇所形成した調整軸螺合穴７１ｃの雌ネジに対して、３つの調整軸部材８１のそれぞれのネジ軸部８１ａの外面に形成した雄ネジが螺合される。調整軸部材８１は、ネジ軸部８１ａと、軸部よりも大径で非円形形状の鍔部８１ｂと、ネジ軸部８１ａの端部に位置する当付頭部８１ｃと、該当付頭部８１ｃとは反対のネジ軸部８１ａの先端に位置する小径先端部８１ｄとを有していて、回転を与えると、ネジ軸部８１ａの雄ネジと調整軸螺合穴７１ｃの雌ネジの螺合関係によって、親板７１に対して軸線方向に進退させることができる。この調整軸部材８１の進退方向は、ガイド軸８０の案内による撮像素子ユニット７０の可動方向（すなわちバック部４０を閉じた状態での撮影光軸Ｚの方向）と平行である。親板７１と鍔部８１ｂの間には、ネジ軸部８１ａの雄ネジに螺合するナット８２が備えられ、このナット８２を締め込むことによって、親板７１に対して調整軸部材８１を固定させることができる。それぞれの調整軸部材８１の小径先端部８１ｄは調整軸螺合穴７１ｃから突出し、調整軸支持穴７９内に支持された圧縮コイルバネ８３の内部に挿入されている。３つの調整軸部材８１に対応して３つ設けられた圧縮コイルバネ８３はそれぞれ、その一端部が親板７１に当接し、他端部が調整軸支持穴７９の底面部に当接しており、撮像素子ユニット７０を撮像素子ユニット取付凹部７７から突出させる方向、すなわち光軸方向前方に付勢する。
【００３６】
以上のようにして撮像素子ユニット取付凹部７７内に撮像素子ユニット７０を支持させた状態で、図２に示すように、飾り板８４が取り付けられる。飾り板８４は、フィルタ枠７５を露出させる開口部８４ａを中央に有する矩形の枠状体であり、その四隅に固定ビス挿通穴８４ｂが形成され、さらに撮像素子ユニット７０における３つの調整軸部材８１に対応する位置に、該調整軸部材８１の当付頭部８１ｃを露出させる貫通穴８４ｃが形成されている。バック部４０の箱形ハウジング６０には、飾り板８４の４つの固定ビス挿通穴８４ｂに対応する位置に４つのネジ座８５が形成され、各固定ビス挿通穴８４ｂを通して各ネジ座８５に対して固定ビス８６（図２）を螺合させることで、飾り板８４が固定される。
【００３７】
前述のように、撮像素子ユニット７０は３つの圧縮コイルバネ８３によって光軸方向前方に付勢されており、カメラ本体部２０に対してバック部８４が図１のように開かれた状態では、調整軸部材８１の鍔部８１ｂが飾り板８４の裏面に当て付く前方移動端に保持されている。このとき、各調整軸部材８１の当付頭部８１ｃが、飾り板８４の貫通穴８４ｃから突出されている。なお、バック部８４内での撮像素子ユニット７０の前方移動端は、親板７１をガイド軸８０の頭部８０ｃに当接させることによって定めることもできる。ヒンジ部１２を介してバック部４０を閉じ位置に回動させてロック爪４７によるバック部４０のロック状態になると、３つの調整軸部材８１の当付頭部８１ｃが、カメラ本体部２０側の位置基準部材５１に設けた３つの位置基準面５１ａに当接する。図６や図７に示すようにそれぞれの当付頭部８１ｃの端面はなだらかな球面状になっていて、位置基準面５１ａに対する当付頭部８１ｃの当接は点接触となる。この当付頭部８１ｃと位置基準面５１ａの当接はバック部４０の閉じ動作の最終段階で生じ、位置基準面５１ａへの当接によって光軸方向前方への移動を規制された各調整軸部材８１が、バック部４０の閉じ方向の回動動作によって、圧縮コイルバネ８３の付勢力に抗して光軸方向後方に押し込まれる。これにより、ナット８２を介して調整軸部材８１と結合された撮像素子ユニット７０全体が、前述の前方移動端から撮像素子ユニット取付凹部７７内で光軸方向位置を変化させ、ロック爪４７によってバック部４０が閉じ位置に係止されたときに撮像素子ユニット７０の最終的な位置が定まる。図６は、バック部４０が閉じられた状態での撮像素子ユニット７０の保持位置の一例を示しており、撮像素子ユニット７０は、ガイド軸８０の頭部８０ｃに対して親板７１が光軸方向後方に「Ｍ１」変位された位置に保持されている。撮像素子ユニット７０に対する圧縮コイルバネ８３の付勢力は、位置基準面５１ａに対して調整軸部材８１の当付頭部８１ｃを押し付ける方向に作用しているので、バック部４０が閉じられている間、撮像素子ユニット７０は図６に示す位置に維持される。
【００３８】
このように、バック部４０側では撮像素子ユニット７０を光軸方向（撮像素子４１の受光面４１ａと直交する方向）に可動なフローティング状態で保持し、撮影状態での撮像素子ユニット７０の位置をカメラ本体部２０側の位置基準面５１ａで決めるようにしたことにより、バック部４０とカメラ本体部２０の間の遊びやガタに影響されることがなく、撮影状態での撮像素子４１の光軸方向位置を高精度に定めることができる。なお、より高い精度を得るために、撮像素子ユニット７０の位置決め用の当接箇所を構成する位置基準部材５１や調整軸部材８１は、硬度が高く耐摩耗性に優れる金属などの材質で構成することが好ましい。
【００３９】
また、以上の撮像素子ユニット７０の保持構造では、バック部４０を閉じた撮影状態での撮像素子４１の受光面４１ａの光軸方向位置と撮影光軸Ｚに対する傾きを、３つの調整軸部材８１の操作によって容易に調整することができる。前述の通り、撮像素子ユニット７０の親板７１に対して調整軸部材８１はネジ螺合により支持されており、ナット８２を緩めた状態で調整軸部材８１を回転させることで、その軸線方向へ進退させることができる。図４に示すように、調整軸部材８１の鍔部８１ｂは、一部が直線状に切り欠かれた円板状をなしており、この直線状切り欠き部分を器具で挟むことで、容易に回転操作を行うことができる。そして、調整軸部材８１の進退移動により親板７１と当付頭部８１ｃの光軸方向距離が変化するため、結果として、当付頭部８１ｃを位置基準面５１ａに当接させたときの撮像素子ユニット７０の光軸方向位置が変化する。例えば、図６において、鍔部８１ｂを親板７１に接近させる方向に調整軸部材８１を移動させると、バック部４０を閉じたときに「Ｍ１」が相対的に小さくなり、「Ｍ２」が相対的に大きくなる。すなわち、撮像素子４１の受光面４１ａの位置が光軸方向前方に変位される。逆に、鍔部８１ｂを親板７１から離間させる方向に調整軸部材８１を移動させると、バック部４０を閉じたときに「Ｍ１」が相対的に大きくなり、「Ｍ２」が相対的に小さくなり、撮像素子４１の受光面４１ａの位置が光軸方向後方に変位される。
【００４０】
調整軸部材８１は撮像素子４１を囲む３箇所に設けられているため、３つの調整軸部材８１を均等に進退移動させることによって、撮影光軸Ｚに対する傾きを変化させずに撮像素子４１の受光面４１ａの光軸方向位置を変化させることができ、それぞれの調整軸部材８１の進退移動量を異ならせることによって、撮影光軸Ｚに対する撮像素子４１の受光面４１ａの角度を変化させることができる。ガイド軸８０による親板４１の支持構造では、このような親板４１の若干の角度変化を許容できるようにクリアランスが設けられている。調整軸部材８１を用いた撮像素子ユニット７０の位置調整が完了したら、ナット８２を締め付けて調整軸部材８１を親板７１に対して固定させる。以上の撮像素子ユニット７０の位置調整は、飾り板８４を取り外した状態で行われる。飾り板８４が取り付けられた状態では当付頭部８１ｃのみが露出するため、不用意に調整軸部材８１を動かして撮像素子ユニット７０の位置を変化させてしまうおそれはない。このように、飾り板８４を外して調整軸部材８１を回転させるだけの簡単な調整作業で、撮像光学系に対する撮像素子４１のピント位置を調整することができる。
【００４１】
以上のように、本実施形態のデジタルカメラ１０では、カメラ本体部２０に対してヒンジ部１２を介してバック部４０を開閉回動可能に支持させたことにより、バック部４０の開放状態では撮像素子ユニット７０が露出され、該撮像素子ユニット７０に付着したゴミの除去や、フィルタ枠７５に対するフィルタの交換作業などを容易に行うことができる。バック部４０はカメラ本体部２０に対してヒンジ部１２を介して常時接続された状態を保つので、バック部４０を開閉動作時に脱落させてしまうおそれがない。さらに、単にバック部４０をヒンジ部１２で回動可能に支持させたのみならず、バック部４０の回動動作に適度な抵抗を与える制動機構を備えたので、バック部４０が過度な勢いで開閉するのを防ぐことができ、開閉動作時にヒンジ部１２に衝撃を与えてしまうおそれがない。よって、撮像素子４１周りの調整作業性やメンテナンス性は向上させつつ、高価で厳密な位置精度が要求される撮像素子４１を備えたバック部４０を確実に保護することができる。この制動機構は、ヒンジ部１２を構成するバック側スリーブ部６１と軸ピン６３の間のワッシャ挿入空間Ｓに挿入された２種類の制動ワッシャ６５、６６と圧縮コイルバネ６８により構成されるものであり、ヒンジ部１２の外観には表れないコンパクトでスペース効率に優れた構造になっている。また、制動ワッシャ６５、６６の枚数を変えるだけの簡単な作業で制動力の大小を容易に調整することができるので、制動力の調整作業性にも優れている。この制動機構における具体的な制動力の目安として、バック部４０のロックを解除しただけで該バック部４０が自重によって自在に回動してしまうことがなく、かつバック部４０を手動で開閉回動させるときにはスムーズな動作を行わせることができ程度のフリクションに設定するとよい。撮像素子ユニット７０や各種電子部品を備えたバック部４０は、一般的なコンパクトカメラの液晶表示部に比べて重い回動開閉部であるが、ワッシャ挿入空間Ｓ内に挿入する制動ワッシャ６５、６６の枚数を増やしたり、付勢力の強い圧縮コイルバネ６８を用いたりする対応で制動力を強めることができるので、ヒンジ部１２を衝撃から確実に保護することができる。また、制動力を高めるに際して制動機構が大型化してしまうこともない。
【００４２】
図１２ないし図１４は、バック部の制動機構の異なる実施形態を示し、先の実施形態との共通要素には同じ符号を付けている。この実施形態では、バック部４０は、先の実施形態の軸ピン６３と同様の位置に設けた軸ピン（回動支持軸）１６３を中心としてカメラ本体部２０に対して開閉回動可能にされている。軸ピン１６３を含むヒンジ部（ヒンジ機構）１１２は先の実施形態のヒンジ部１２と基本的に同様の構造であるが、こちらのヒンジ部１１２には、制動ワッシャ６５、６６のような制動用の部材は備えられていない。
【００４３】
カメラ本体部２０は、バック装着凹部５０を構成する後部筐体５３を備えており、後部筐体５３には、バック部４０の箱形ハウジング６０の側面に対向する側壁部５３ａを貫通する貫通穴５３ｂが形成されている。貫通穴５３ｂには、軸ピン１６３の軸線と略平行な方向に進退可能に制動ピン５４が挿入支持されている。図１４に示すように、制動ピン５４は、貫通穴５３ｂに挿入される進退軸部５４ａと、進退軸部５４ａよりも大径の鍔部５４ｂと、鍔部５４ｂから進退軸部５４ａと反対側に突出するバネ当接部５４ｃを有していて、進退軸部５４ａとバネ当接部５４ｃはいずれも球面状の先端形状になっている。
【００４４】
後部筐体５３の側壁部５３ａには、貫通穴５３ｂの光軸方向前方にバネ支持座５３ｃが設けられ、このバネ支持座５３ｃ上に、バネ支持ビス５６を介して板バネ（付勢部材）５５が支持されている。板バネ５５は、カメラの上下方向に延びる固定部５５ａと、該固定部５５ａから光軸方向後方へ向けて延設される弾性アーム部５５ｂとを有するＴ字状をなし、固定部５５ａと弾性アーム部５５ｂの交点位置に、バネ支持ビス５６を挿通させるビス挿通穴５５ｃが形成されている。バネ支持座５３ｃは、板バネ５５の固定部５５ａを支持する形状をなし、その中央にバネ支持ビス５６が螺合されるビス穴５３ｄが形成されている。ビス挿通穴５５ｃを通してバネ支持ビス５６をビス穴５３ｄに螺合させることで、板バネ５５の固定部５５ａがバネ支持座５３ｃ上に固定される。この固定状態で、板バネ５５の弾性アーム部５５ｂと後部筐体５３の側壁部５３ａの間には、図１４に示すような隙間があり、弾性アーム部５５ｂは、固定部５５ａを支点として、該側壁部５３ａに対して接離する方向の弾性変形が可能である。そして、弾性アーム部５５ｂの先端部付近が制動ピン５４のバネ当接部５４ｃに当接し、進退軸部５４ａがバック装着凹部５０内へ突出する方向へと制動ピン５４を付勢する。この板バネ５５による付勢方向への制動ピン５４の移動は、鍔部５４ｂが貫通穴５３ｂ周辺の環状突出部５３ｅに当て付くことで規制される。図１４に実線で示しているのが、鍔部５４ｂと環状突出部５３ｅにより規制される最大突出位置にあるときの制動ピン５４及び板バネ５５である。なお、後部筐体５３における側壁部５３ａの外側は、図示しない外面部材によって覆われており、制動ピン５４や板バネ５５はカメラの外観に表れない。
【００４５】
バック部４０の箱形ハウジング６０には、後部筐体５３の側壁部５３ａに対向する側面部に、制動制御溝（係合凹部）９０が形成されている。制動制御溝９０は、軸ピン１６３を中心とするバック部４０の回動方向に沿う方向に形成された弧状溝であり、バック部４０の前方に向かうにつれて徐々に幅を広くする扇状をなしている。
【００４６】
バック部４０がカメラ本体部２０に対して閉じられているときは、図１３や図１４に実線で示すように、制動ピン５４の進退軸部５４ａが制動制御溝９０に係合している。より詳しくは、制動制御溝９０のうち幅狭の（後方の）端部付近に進退軸部５４ａが位置している。このとき制動ピン５４は、板バネ５５の付勢力によって、進退軸部５４ａを制動制御溝９０内に突出させる状態に維持されている。バック部４０が閉じられた状態からロックを外し、図１３のθで示す角度まで開き方向にバック部４０が回動されると、同図に二点鎖線で示すように、制動ピン５４の進退軸部５４ａが、制動制御溝９０の幅広の（前方の）端部に当接し、バック部４０の開放方向への回動が規制される。ここで、バック部４０に対して手動で開放方向の力を与えると、制動制御溝９０の端部が制動ピン５４の進退軸部５４ａの先端球状部分を押圧し、制動ピン５４を制動制御溝９０から離脱させる軸線方向の分力が発生する。これにより、図１４に二点鎖線で示すように、弾性アーム部５５ｂを弾性変形させながら、板バネ５５の付勢力に抗して制動ピン５４が制動制御溝９０から離脱され、バック部４０の開放方向への回動が許容される。これ以降は、図１２に示す開放位置までバック部４０を回動させることができる。
【００４７】
逆に、バック部４０を閉じるときは、図１３に二点鎖線で示す位置までバック部４０が回動されると、板バネ５５の付勢力によって制動ピン５４がバック装着凹部５０内への突出方向に進出して、進退軸部５４ａが制動制御溝９０に係合し、同図に実線で示す閉じ位置までバック部４０を回動させることができる。
【００４８】
以上のように、図１２ないし図１４に示す第２の実施形態では、バック部４０の開放操作時に手を離しても、その自重で一気に開放位置まで回動せず、制動ピン５４と制動制御溝９０の係合関係によって途中の角度位置（θ）で一旦係止されるように制動機構が構成されているため、第１の実施形態と同様に、ヒンジ部１２への衝撃とそれに伴うヒンジ部１２及びバック部４０の損傷を防ぐことができる。この制動機構は、制動ピン５４、板バネ５５及び制動制御溝９０からなる簡単な構成であり、部品点数が少なくコンパクトに構成することができる。また、制動ピン５４の形状、位置、突出量、制動制御溝９０の形状や位置、板バネ５５の付勢力などの条件を異ならせることによって、制動力が作用する範囲や角度、制動力の大きさ、制動の感触などを容易かつ細かく調整することが可能である。例えば、実施形態の制動制御溝９０は深さが１段階の凹部であるが、多段数の凹部として形成し、凹部の各段でバック部４０に対する制動の感触を変化させるような構造も可能である。
【００４９】
なお、本発明は、以上の図示実施形態に限定されるものではなく、発明の要旨を逸脱しない限りにおいて改良や変更を加えることができる。例えば、図示実施形態では、カメラ本体部２０に対してヒンジ部１２を介して回動可能に支持されているのが撮像素子ユニット７０やイメージＬＣＤ４２を備えたバック部４０である。このバック部４０のようなデジタルバック部は、単機能の液晶モニタに比べて部品点数が多く重く、その自重による自在な回動を許容してしまうとヒンジ部１２への負荷が大きくなるため、本発明のような制動機構によって回動に抵抗を与えることが特に効果的である。但し、本発明は、このようなデジタルバック部に限らず、撮像素子を備えない液晶モニタなどの回動支持構造としても適用が可能である。
【００５０】
また、図示実施形態では、カメラ本体部２０側に対してヒンジ部１２の軸ピン６３、１６３を固定し、これに対して相対回動可能に嵌るスリーブ部をバック部４０側に設けているが、この回動支持軸と中空スリーブ部の配設関係を逆にしたヒンジ機構であっても本発明は適用が可能である。
【図面の簡単な説明】
【００５１】
【図１】本発明を適用したデジタルカメラで、撮像素子を有するバック部をカメラ本体部に対して開いた状態を示す斜視図である。
【図２】図１のデジタルカメラで、撮像素子ユニット前方の飾り板を取り外した状態を示す斜視図である。
【図３】図１のデジタルカメラの電気回路の主要構成を示すブロック図である。
【図４】撮像素子ユニットの分解斜視図である。
【図５】バック部から撮像素子ユニットを取り外した状態の斜視図である。
【図６】バック部における撮像素子ユニットの光軸方向位置調整構造を示す断面図である。
【図７】図６の撮像素子ユニット位置調整構造の要部を示す断面図である。
【図８】カメラ本体部とバック部を接続するヒンジ部に電気配線を通した状態を示す斜視図である。
【図９】ヒンジ部を分解した状態の斜視図である。
【図１０】ヒンジ部の軸線方向の断面図である。
【図１１】ヒンジ部の要部を示す断面図である。
【図１２】バック部の制動機構の第２の実施形態を示す、カメラ本体部の後部筐体とバック部の後方斜視図である。
【図１３】第２の実施形態におけるバック部の閉じ位置と、制動機構により開放方向の回動が規制される位置とを示した側面図である。
【図１４】第２の実施形態において、バック部が閉じた状態で撮影光軸と平行な方向の断面線に沿って示した、制動機構の要部の断面図である。
【符号の説明】
【００５２】
１０  デジタルカメラ
１１  レンズ鏡筒
１２  ヒンジ部（ヒンジ機構）
２０  カメラ本体部
２２  シャッタ
２９  バッテリー（電源）
３０  ＣＰＵ（中央制御回路）
３１  ＤＰＵ
３２  ボディＬＣＤ
３３  シャッタ開口
４０  バック部（デジタルバック部）
４１  撮像素子
４１ａ  受光面
４２  イメージＬＣＤ
４４  ＤＳＰ（画像処理回路）
４５  電源回路
４７  ロック爪
４８  ロック解除ノブ
５０  バック装着凹部
５１  位置基準部材
５１ａ  位置基準面
５２  本体側スリーブ部
５２ａ  軸挿通穴
５２ａ１  大径円形穴部
５２ａ２  小径円形穴部
５２ｂ  ５２ｃ  摺接平面
５２ｄ  ビス挿通穴
５３  後部筐体
５３ａ  側壁部
５３ｂ  貫通穴
５３ｃ  バネ支持座
５３ｄ  ビス穴
５３ｅ  環状突出部
５４  制動ピン
５４ａ  進退軸部
５４ｂ  鍔部
５４ｃ  バネ当接部
５５  板バネ（付勢部材）
５５ａ  固定部
５５ｂ  弾性アーム部
５５ｃ  ビス挿通穴
５６  バネ支持ビス
６０  箱形ハウジング
６１  ６２  バック側スリーブ部
６１ａ  軸挿通穴
６１ａ１  円形穴部
６１ａ２  非円形断面穴部
６２ａ  軸挿通穴
６２ａ１  小径円形穴部
６２ａ２  大径円形穴部
６２ａ３  内方開口部
６３  軸ピン（回動支持軸）
６３ａ  大径軸部
６３ｂ  小径軸部
６３ｃ  非円形断面軸部
６３ｄ  ビス穴
６３ｅ  抜止溝
６４  軸止めビス
６５  第１制動ワッシャ（第１の環状制動部材）
６５ａ  非円形外周部
６５ｂ  円形中心穴
６６  第２制動ワッシャ（第２の環状制動部材）
６６ａ  円形外周部
６６ｂ  非円形中心穴
６７  ロックワッシャ
６８  圧縮コイルバネ（付勢部材）
６９  リード線
７０  撮像素子ユニット
７１  親板
７２  撮像素子用基板
７３  固定ネジ
７４  光学ローパスフィルタ
７５  フィルタ枠
７６  固定ネジ
７７  撮像素子ユニット取付凹部
７８  ガイド軸支持穴
７９  調整軸支持穴
８０  ガイド軸
８１  調整軸部材
８２  ナット
８３  圧縮コイルバネ
８４  飾り板
８５  ネジ座
８６  固定ビス
９０  制動制御溝（係合凹部）
１１２  ヒンジ部（ヒンジ機構）
１６３  軸ピン（回動支持軸）
Ｓ  ワッシャ挿入空間（径方向スペース）
Ｔ１  軸ピンの非円形断面部の部分円筒領域
Ｔ２  軸ピンの非円形断面部の平面状領域
Ｕ１  バック側スリーブ部の非円形穴部の部分円筒領域
Ｕ２  バック側スリーブ部の非円形穴部の平面状領域
Ｖ１  第１制動ワッシャの非円形外周部の部分円形領域
Ｖ２  第１制動ワッシャの非円形外周部の直線状領域
Ｗ１  第２制動ワッシャの非円形の部分円形領域
Ｗ２  第２制動ワッシャの非円形の直線状領域
Ｘ  ヒンジ部の回動中心軸
Ｚ  撮影光軸
【図１】
2010093381.tif 000003
【図２】
2010093381.tif 000004
【図３】
2010093381.tif 000005
【図４】
2010093381.tif 000006
【図５】
2010093381.tif 000007
【図６】
2010093381.tif 000008
【図７】
2010093381.tif 000009
【図８】
2010093381.tif 000010
【図９】
2010093381.tif 000011
【図１０】
2010093381.tif 000012
【図１１】
2010093381.tif 000013
【図１２】
2010093381.tif 000014
【図１３】
2010093381.tif 000015
【図１４】
2010093381.tif 000016